(57)【特許請求の範囲】
【請求項１】
互いに入出力関係を有する複数の電源ブロックを含む電源回路と、
前記複数の電源ブロックの各々にオンまたはオフを示す制御信号を出力する電源制御部と、
異常検知部と、
シーケンサと、を備え、
前記電源回路の起動中に前記制御信号の少なくともいずれかがオフを示していることを前記異常検知部が検知すると、前記シーケンサは、所定の立ち下げシーケンス状態に遷移し、前記電源制御部は、前記シーケンサからの指令に基づき所定の順序で前記電源ブロックをオフとするように前記制御信号を出力する立ち下げシーケンスを行う、ことを特徴とする半導体装置。
【請求項２】
前記立ち下げシーケンスの後、前記シーケンサは起動シーケンス状態に遷移し、前記電源制御部は、前記シーケンサからの指令に基づき所定の順序で前記電源ブロックをオンとするように前記制御信号を出力する起動シーケンスを行うことを特徴とする請求項１に記載の半導体装置。
【請求項３】
前記異常検知部は、前記制御信号が入力されるＡＮＤ回路を有することを特徴とする請求項１または請求項２に記載の半導体装置。
【請求項４】
前記異常検知部は、前記ＡＮＤ回路の後段に配されるデジタルフィルタを更に有することを特徴とする請求項３に記載の半導体装置。
【請求項５】
前記電源制御部は、前記電源回路の起動状態を示す電源起動フラグをホストコントローラへ出力可能であり、
前記ＡＮＤ回路には、前記電源起動フラグが更に入力されることを特徴とする請求項３または請求項４に記載の半導体装置。
【請求項６】
表示パネルを駆動する駆動部を更に備え、
前記電源ブロックの出力電圧は前記駆動部に供給されることを特徴とする請求項１〜請求項５のいずれか１項に記載の半導体装置。
【請求項７】
前記異常検知部は、前記制御信号が入力されるＡＮＤ回路を有し、
前記ＡＮＤ回路には、前記駆動部に出力される制御信号が更に入力されることを特徴とする請求項６に記載の半導体装置。
【請求項８】
前記表示パネルが表示オフ状態となる状態の前記シーケンサは、スリープインコマンドに基づいて前記立ち下げシーケンス状態に遷移するものであり、
前記シーケンサは、前記異常検知部により異常が検知された場合、前記スリープインコマンドに関わらず、強制的に前記立ち下げシーケンス状態に遷移することを特徴とする請求項６または請求項７に記載の半導体装置。
【請求項９】
前記駆動部により前記表示パネルに映像データに基づく映像が表示される表示オン状態である前記シーケンサは、スリープインコマンドに基づいて前記立ち下げシーケンス状態に遷移するものであり、
前記シーケンサは、前記異常検知部により異常が検知された場合、前記スリープインコマンドに関わらず、強制的に前記立ち下げシーケンス状態に遷移することを特徴とする請求項６〜請求項８のいずれか１項に記載の半導体装置。
【請求項１０】
請求項６〜請求項９のいずれか１項に記載の半導体装置と、前記半導体装置によって駆動される表示パネルと、を備えることを特徴とする表示装置。
【発明の詳細な説明】
【技術分野】
【０００１】
本発明は、電源回路を有する半導体装置に関する。
【背景技術】
【０００２】
従来、電源回路に含まれる電源ブロックのオンオフを上記電源回路の外部からのイネーブル信号によって制御するものがある。【０００３】
電源ブロックが動作中にノイズ等によってイネーブル信号がオフを示すものとなってしまった場合、従来は、電源ブロックがオフとなることの結果現れる出力電圧、出力電流などの異常挙動を検知することで異常を検知していた。
【先行技術文献】
【特許文献】
【０００４】
【特許文献１】特開２００７−１１４４７６号公報
【発明の概要】
【発明が解決しようとする課題】
【０００５】
しかしながら、上記異常検知の方法では、出力電圧等に異常が生じるまでの遅延時間があり、異常検知までに時間がかかるという問題があった。【０００６】
また、電源回路に含まれる電源ブロックが複数あり、それらの入出力が相互に関連するような場合、異常の検知時に電源回路をオフさせる際に誤動作が生じないように考慮する必要がある。【０００７】
特に、電源回路が車載用である場合、自動車の電気／電子に関する機能安全についての国際規格であるＩＳＯ２６２６２なども策定されており、電源回路に関する安全性についての要請が高い。【０００８】
上記状況に鑑み、本発明は、迅速に電源回路の異常を検知すると共に、安全に電源回路をオフすることのできる半導体装置を提供することを目的とする。
【課題を解決するための手段】
【０００９】
本発明の一態様に係る半導体装置は、
互いに入出力関係を有する複数の電源ブロックを含む電源回路と、
前記複数の電源ブロックの各々にオンオフを示す制御信号を出力する電源制御部と、
異常検知部と、
シーケンサと、を備え、
前記電源回路の起動中に前記制御信号の少なくともいずれかがオフを示していることを前記異常検知部が検知すると、前記シーケンサは、所定の立ち下げシーケンス状態に遷移し、前記電源制御部は、所定の順序で前記電源ブロックをオフとするように前記制御信号を出力する立ち下げシーケンスを行う構成としている（第１の構成）。【００１０】
また、上記第１の構成において、前記立ち下げシーケンスの後、前記シーケンサは起動シーケンス状態に遷移し、前記電源制御部は、所定の順序で前記電源ブロックをオンとするように前記制御信号を出力することとしてもよい（第２の構成）。【００１１】
また、上記第１または第２の構成において、前記異常検知部は、前記制御信号が入力されるＡＮＤ回路を有することとしてもよい（第３の構成）。【００１２】
また、上記第３の構成において、前記異常検知部は、前記ＡＮＤ回路の後段に配されるデジタルフィルタを更に有することとしてもよい（第４の構成）。【００１３】
また、上記第３または第４の構成において、前記電源制御部は、前記電源回路の起動状態を示す電源起動フラグをホストコントローラへ出力可能であり、
前記ＡＮＤ回路には、前記電源起動フラグが更に入力されることとしてもよい（第５の構成）。【００１４】
また、上記第１〜第５のいずれかの構成において、表示パネルを駆動する駆動部を更に備え、前記電源ブロックの出力電圧は前記駆動部に供給されることとしてもよい（第６の構成）。【００１５】
また、上記第６の構成において、前記異常検知部は、前記制御信号が入力されるＡＮＤ回路を有し、前記ＡＮＤ回路には、前記駆動部に出力される制御信号が更に入力されることとしてもよい（第７の構成）。【００１６】
また、上記第６または第７の構成において、前記表示パネルが表示オフ状態となる状態の前記シーケンサは、スリープインコマンドに基づいて前記立ち下げシーケンス状態に遷移するものであり、前記シーケンサは、前記異常検知部により異常が検知された場合、前記スリープインコマンドに関わらず、強制的に前記立ち下げシーケンス状態に遷移することとしてもよい（第８の構成）。【００１７】
また、上記第６〜第８のいずれかの構成において、前記駆動部により前記表示パネルに映像データに基づく映像が表示される表示オン状態である前記シーケンサは、スリープインコマンドに基づいて前記立ち下げシーケンス状態に遷移するものであり、
前記シーケンサは、前記異常検知部により異常が検知された場合、前記スリープインコマンドに関わらず、強制的に前記立ち下げシーケンス状態に遷移することとしてもよい（第９の構成）。【００１８】
また、本発明の別態様に係る表示装置は、上記第６〜第９のいずれかの構成の半導体装置と、前記半導体装置によって駆動される表示パネルと、を備えることとしている。
【発明の効果】
【００１９】
本発明によると、迅速に電源回路の異常を検知すると共に、安全に電源回路をオフすることが可能となる。
【図面の簡単な説明】
【００２０】
【図１】本発明の一実施形態に係る液晶表示装置の構成を示すブロック図である。
【図２】本発明の一実施形態に係る電源回路の概略構成図である。
【図３】電源回路における各電源ブロック間の入出力電圧関係を示した図である。
【図４】本発明の一実施形態に係る状態遷移図である。
【図５】本発明の一実施形態に係るタイミングコントローラおよび異常検知回路の構成を示す図である。
【図６】起動シーケンスの一例を示すタイミングチャートである。
【図７】立ち下げシーケンスの一例を示すタイミングチャートである。
【図８】車載ディスプレイの一例を示す外観図である。
【発明を実施するための形態】
【００２１】
以下に本発明の一実施形態について図面を参照して説明する。
【００２２】
＜液晶表示装置＞
図１は、液晶表示装置の一構成例を示すブロック図である。本構成例の液晶表示装置１は、ＬＣＤ（Liquid  Crystal  Display）ドライバ２０とＬＣＤパネル４０を有する。ＬＣＤドライバ２０は、ホストコントローラ１０（マイコン等）から入力される映像データ、および各種コマンドに基づいてＬＣＤパネル４０の駆動制御を行う。ＬＣＤパネル４０は、液晶素子を画素として用いた映像出力手段であり、ＬＣＤドライバ２０の負荷として駆動される。
【００２３】
＜ＬＣＤドライバ＞
引き続き、図１を参照しつつＬＣＤドライバ２０について詳述する。ＬＣＤドライバ２０は、インタフェース２１、データレジスタ２２、シーケンサ２３、タイミングコントローラ２４（電源制御部）、異常検知回路２５、ＲＡＭ（Random  Access  Memory）２６、データコンバータ２７、データラッチ部２８、ソースドライバ２９、ゲートドライバ３０、コモン電圧生成部３１、電源回路３２、およびガンマ電圧生成部３３の各要素を含み、これらの各要素を一つのチップに集積化した半導体装置（ＩＣ）である。ソースドライバ２９、ゲートドライバ３０、およびコモン電圧生成部３１からＬＣＤパネル４０を駆動する駆動部が構成される。
【００２４】
インタフェース２１は、ホストコントローラ１０との間でデータのやり取りを行うものであり、映像データ、各種コマンド等をホストコントローラ１０から受け取る。コマンドレジスタ２２には、ホストコントローラ１０からインタフェース２１を介して送られた映像データ、各種コマンドが格納される。
【００２５】
シーケンサ２３は、データレジスタ２２に格納されたコマンドに応じて状態を遷移させる。タイミングコントローラ２４は、シーケンサ２３からの指令に基づいてＬＣＤドライバ２０の各種タイミング制御を行う。例えば、タイミングコントローラ２４は、ゲートドライバ３０およびコモン電圧生成部３１の垂直同期制御、ソースドライバ２９の水平同期制御、および電源回路３２の起動・終了制御などを行う。
【００２６】
ゲートドライバ３０は、電源回路３２から正電源電圧ＶＧＨと負電源電圧ＶＧＬの供給を受けて動作し、タイミングコントローラ２４から入力される垂直同期信号に基づいて、ＬＣＤパネル４０のゲート信号Ｇ（１）〜Ｇ（ｙ）を生成する。ゲート信号Ｇ（１）〜Ｇ（ｙ）は、ＬＣＤパネル４０がアクティブマトリクス型である場合には、ＬＣＤパネル４０の液晶素子にそれぞれ接続されたアクティブ素子のゲート端子に供給される。
【００２７】
ＲＡＭ２６は、データレジスタ２２に格納された映像データが記憶される。ＲＡＭ２６に記憶された映像データは、データコンバータ２７によって所定の形式にデータ変換され、データラッチ部２８を介してソースドライバ２９に送られる。
【００２８】
ソースドライバ２９は、電源回路３２から電源電圧ＶＳＰの供給を受けて動作し、入力される映像データをソース信号Ｓ（１）〜Ｓ（ｘ）に変換し、タイミングコントローラ２４から入力される水平同期信号に基づいてソース信号Ｓ（１）〜Ｓ（ｘ）をＬＣＤパネル４０に供給する。ソース信号Ｓ（１）〜Ｓ（ｘ）は、ＬＣＤパネル４０がアクティブマトリクス型である場合には、ＬＣＤパネル４０の液晶素子にそれぞれ接続されたアクティブ素子のソース端子に供給される。
【００２９】
コモン電圧生成部３１は、電源回路３２から正電源電圧ＶＣＯＭＨと負電源電圧ＶＣＯＭＬの供給を受けて動作し、コモン電圧ＶＣを生成し、ＬＣＤパネル４０を構成する全ての画素に共通のコモン電極に供給する。
【００３０】
ガンマ電圧生成部３３は、電源回路３２から電源電圧ＶＧＴＰの供給を受けて動作し、インタフェース２１により受信された映像データの輝度値を補正するための階調電圧を生成する。
【００３１】
異常検知回路２５は、タイミングコントローラ２４から出力される各種イネーブル信号を監視することで異常状態を検知する回路であり、詳細については後述する。
【００３２】
＜電源回路の構成＞
次に、電源回路３２の構成について説明する。図２は、電源回路３２の概略構成を示す図である。電源回路３２は、第１電源ブロック３２１、第２電源ブロック３２２、第３電源ブロック３２３、第４電源ブロック３２４、第５電源ブロック３２５、第６電源ブロック３２６、第７電源ブロック３２７、第８電源ブロック３２８を含んで構成される。各電源ブロックは、例えば増幅器またはチャージポンプなどの回路によって構成される。
【００３３】
第１電源ブロック３２１は、所定の電源電圧ＶＤＤに基づいて電圧ＶＲ１を生成して出力する。
【００３４】
第６電源ブロック３２６は、入力される電圧ＶＲ１に基づいて電源電圧ＶＳＰを生成して出力する。電源電圧ＶＳＰは、ソースドライバ２９に供給される。
【００３５】
第２電源ブロック３２２は、電源電圧ＶＳＰに基づいて電源電圧ＶＧＴＰを生成して出力する。電源電圧ＶＧＴＰは、ガンマ電圧生成部３３に供給される。
【００３６】
第３電源ブロック３２３は、電源電圧ＶＳＰに基づいて正電源電圧ＶＣＯＭＨを生成して出力する。正電源電圧ＶＣＯＭＨは、コモン電圧生成部３１に供給される。
【００３７】
第５電源ブロック３２５は、電源電圧ＶＳＰに基づいて電圧ＶＲ２を生成して出力する。第８電源ブロック３２８は、入力される電圧ＶＲ２に基づいて負電源電圧ＶＧＬおよび正電源電圧ＶＧＨを生成して出力する。負電源電圧ＶＧＬおよび正電源電圧ＶＧＨは、ゲートドライバ３０に供給される。
【００３８】
第７電源ブロック３２７は、入力される電圧ＶＲ１に基づいて電源電圧ＶＭＩを生成して出力する。第４電源ブロック３２４は、電源電圧ＶＭＩに基づいて負電源電圧ＶＣＯＭＬを生成して出力する。負電源電圧ＶＣＯＭＬは、コモン電圧生成部３１に供給される。
【００３９】
図３は、電源回路３２における各電源ブロック３２１〜３２８間の入出力電圧関係を示した図である。このような関係により、電源ブロック３２１〜３２８がオン状態のときにいずれか一つでもオフとなってしまうと、ＬＣＤパネル４０における表示動作に異常が生じることとなる。
【００４０】
＜状態遷移制御＞
次に、ＬＣＤドライバ２０による状態遷移制御について図４〜図７を用いて説明する。図４は、ＬＣＤドライバ２０の状態遷移を示す図である。図５は、タイミングコントローラ２４と異常検知回路２５の各構成を示す図である。
【００４１】
まず、シーケンサ２３がスタンバイ状態ＳＴ１であるとする。ここで、図５に示すように、タイミングコントローラ２４は、ＤフリップフロップＦ１〜Ｆ３を有する。ＤフリップフロップＦ２から電源回路３２における第１電源ブロック３２１へ電源ブロックをオンオフさせるためのイネーブル信号ＶＲ１_ＥＮが出力される。同様に、不図示のＤフリップフロップから電源回路３２における残りの第２電源ブロック３２２〜第８電源ブロック３２８へもイネーブル信号がそれぞれ出力される。シーケンサ２３がスタンバイ状態ＳＴ１であるとき、第１〜第８電源ブロックへ出力される全てのイネーブル信号はオフを示すＬｏｗレベルとなっており、第１電源ブロック３２１〜第８電源ブロック３２８は全てオフとなっている。
【００４２】
スタンバイ状態ＳＴ１のときにスリープアウトコマンド（電源起動コマンド）がホストコントローラ１０から送信されてデータレジスタ２２へ格納されると、シーケンサ２３は起動シーケンス状態（立ち上げシーケンス状態）ＳＴ２に遷移する。すると、タイミングコントローラ２４は、シーケンサ２３からの指令に基づき起動シーケンスを開始させる。
【００４３】
図６は、タイミングコントローラ２４が行う起動シーケンスを示すタイミングチャートである。図６の上段から順に、第１電源ブロック３２１へのイネーブル信号ＶＲ１_ＥＮ、第６電源ブロック３２６へのイネーブル信号ＶＳＰ_ＥＮ、第５電源ブロック３２５へのイネーブル信号ＶＲ２_ＥＮ、第８電源ブロック３２８へのイネーブル信号ＶＧＨＬ_ＥＮ、第７電源ブロック３２７へのイネーブル信号ＶＭＩ_ＥＮ、第３電源ブロック３２３へのイネーブル信号ＶＯＭＨ_ＥＮ、第４電源ブロック３２４へのイネーブル信号ＶＣＯＭＬ_ＥＮ、および第２電源ブロック３２２へのイネーブル信号ＶＧＴＰ_ＥＮを示す。各イネーブル信号は、Ｈｉｇｈレベルで電源ブロックのオン、Ｌｏｗレベルで電源ブロックのオフを示す。
【００４４】
また、図６の上方には、フレームごとのライン数の1/4ごとの期間を示している。例えば一つのフレームのライン数が３００であれば、７５ずつの期間となる。
【００４５】
起動シーケンスが開始されると、まず１フレーム目のカウント開始のときにタイミングコントローラ２４は、イネーブル信号ＶＲ１_ＥＮ、およびＶＳＰ_ＥＮをＨｉｇｈレベルに立ち上げる。これにより、第１電源ブロック３２１、および第６電源ブロック３２６が各々オンとなる。
【００４６】
次に、２フレーム目のライン数の半分までカウントしたときにタイミングコントローラ２４は、イネーブル信号ＶＲ２_ＥＮをＨｉｇｈレベルに立ち上げる。これにより、第５電源ブロック３２５がオンとなる。
【００４７】
次に、２フレーム目のライン数までカウントしたときにタイミングコントローラ２４は、イネーブル信号ＶＧＨＬ_ＥＮをＨｉｇｈレベルに立ち上げる。これにより、第８電源ブロック３２８がオンとなる。
【００４８】
次に、３フレーム目のライン数までカウントしたときにタイミングコントローラ２４は、イネーブル信号ＶＭＩ_ＥＮをＨｉｇｈレベルに立ち上げる。これにより、第７電源ブロック３２７がオンとなる。
【００４９】
次に、４フレーム目のライン数までカウントしたときにタイミングコントローラ２４は、イネーブル信号ＶＣＯＭＨ_ＥＮ、およびＶＣＯＭＬ_ＥＮを共にＨｉｇｈレベルに立ち上げる。これにより、第３電源ブロック３２３および第４電源ブロック３２４がオンとなる。
【００５０】
そして、５フレーム目のライン数までカウントしたときにタイミングコントローラ２４は、イネーブル信号ＶＧＴＰ_ＥＮをＨｉｇｈレベルに立ち上げる。これにより、第２電源ブロック３２２がオンとなる。
【００５１】
このような起動シーケンスにより適正な順に電源ブロックを順にオンとすることで、誤動作が生じることを回避できる。
【００５２】
起動シーケンスが終了して全ての上記イネーブル信号がＨｉｇｈレベルとなると、シーケンサ２３は、表示オフ状態ＳＴ３に遷移する。
【００５３】
ここで、図５に示すように、電源回路３２へのイネーブル信号の他にも、例えばＤフリップフロップＦ３からソースドライバ２９へイネーブル信号ＳＲＣ_ＥＮが出力される。ＤフリップフロップＦ３以外にも同様に不図示のＤフリップフロップからゲートドライバ３０、コモン電圧生成部３１、およびガンマ電圧生成部３３へもイネーブル信号が各々出力される。これらの表示系のイネーブル信号は、出力される各部をオンオフさせるための信号である。オンがＨｉｇｈレベル、オフがＬｏｗレベルに対応する。
【００５４】
シーケンサ２３が表示オフ状態ＳＴ３に遷移すると、タイミングコントローラ２４は、表示系のイネーブル信号をＨｉｇｈレベルとする。
【００５５】
すると、タイミングコントローラ２４による制御により、ゲートドライバ３０およびソースドライバ２９がＬＣＤパネル４０を、各画素に印加される電圧が略ゼロとなるように駆動する。これにより、ＬＣＤパネル４０には、例えば黒画像が表示される。なお、ここでは、ＬＣＤパネル４０を駆動しないこととしてもよい。いずれにせよ、表示オフ状態ＳＴ３では、ＬＣＤパネル４０は表示オフ状態である。
【００５６】
ホストコントローラ１０からコマンドが送信されない間は、シーケンサ２３は表示オフ状態ＳＴ３を維持する。ホストコントローラ１０から表示オンコマンドが送信されてデータレジスタ２２に格納されると、シーケンサ２３は、表示オン状態ＳＴ４に遷移する。すると、タイミングコントローラ２４による制御により、ゲートドライバ２０およびソースドライバ２９はＬＣＤパネル４０を駆動し、ソースドライバ２９から供給される映像データに基づくソース信号Ｓ（１）〜Ｓ（ｘ）によってＬＣＤパネル４０には映像が表示される。
【００５７】
ホストコントローラ１０からコマンドが送信されない間は、シーケンサ２３は表示オン状態ＳＴ４を維持する。ホストコントローラ１０から表示オフコマンドが送信されてデータレジスタ２２に格納されると、シーケンサ２３は、表示オフ状態ＳＴ５に遷移する。表示オフ状態ＳＴ５では、表示オフ状態ＳＴ３と同様、ＬＣＤパネル４０は表示オフ状態となる。
【００５８】
ホストコントローラ１０からコマンドが送信されない間は、シーケンサ２３は表示オフ状態ＳＴ５を維持する。ここで、ホストコントローラ１０から表示オンコマンドが送信されてデータレジスタ２２に格納されると、シーケンサ２３は、表示オン状態ＳＴ４に遷移する。
【００５９】
表示オフ状態ＳＴ３、表示オン状態ＳＴ４、または表示オフ状態ＳＴ５のときに、ホストコントローラ１０からスリープインコマンド（電源立ち下げコマンド）が送信されてデータレジスタ２２に格納されると、シーケンサ２３は、立ち下げシーケンス状態ＳＴ６となる。
【００６０】
すると、シーケンサ２３からの指令に基づきタイミングコントローラ２４は、立ち下げシーケンスを開始させる。ここで、図７は、立ち下げシーケンスの一例を示すタイミングチャートである。図７に示すように、立ち下げシーケンスが開始されると、まず１フレーム目のカウント開始のときにタイミングコントローラ２４は、イネーブル信号ＶＣＯＭＨ＿ＥＮ、ＶＣＯＭＬ＿ＥＮ、およびＶＧＴＰ＿ＥＮをＬｏｗレベルに立ち下げる。これにより、第２電源ブロック３２２〜第４電源ブロック３２４がオフとなる。
【００６１】
次に、１フレーム目のライン数までカウントしたときにタイミングコントローラ２４は、イネーブル信号ＶＲ２＿ＥＮ、ＶＧＨＬ＿ＥＮ、およびＶＭＩ＿ＥＮをＬｏｗレベルに立ち下げる。これにより、第５電源ブロック３２５、第７電源ブロック３２７、および第８電源ブロック３２８がオフとなる。
【００６２】
次に、２フレーム目のライン数までカウントしたときにタイミングコントローラ２４は、イネーブル信号ＶＲ１＿ＥＮ、およびＶＳＰ＿ＥＮをＬｏｗレベルに立ち下げる。これにより、第１電源ブロック３２１、および第６電源ブロック３２６がオフとなる。
【００６３】
このように立ち下げシーケンスにより、適正な順に電源ブロックをオフにさせることで電源回路３２の終了時に誤動作が生じることを回避できる。
【００６４】
また、立ち下げシーケンスにおいて、上記表示系のイネーブル信号も全てＬｏｗとされる。
【００６５】
立ち下げシーケンスが終了すると、シーケンサ２３は、スタンバイ状態ＳＴ１に遷移する。
【００６６】
＜異常状態検知動作＞
次に、ＬＣＤドライバ２０における異常状態検知動作について説明する。図５に示すように、異常検知回路２５は、ＡＮＤ回路２５１と、デジタルフィルタ２５２と、を含んで構成される。電源回路３２へ出力される各イネーブル信号、およびソースドライバ２９等へ出力される表示系の各イネーブル信号は、ＡＮＤ回路２５１へ入力される。また、タイミングコントローラ２４に含まれるフリップフロップＦ１から出力される電源起動フラグＰＯＦＦもＡＮＤ回路２５１へ入力される。電源起動フラグＰＯＦＦは、電源回路３２が起動状態か否かを示し、ホストコントローラ１０へ送信される信号であり、Ｈｉｇｈレベルで起動状態、Ｌｏｗレベルで終了状態を表す。
【００６７】
上述した表示オフ状態ＳＴ３、表示オン状態ＳＴ４、または表示オフ状態Ｓ５の場合、正常であれば、電源回路３２への全てのイネーブル信号、表示系の全てのイネーブル信号、および電源起動フラグＰＯＦＦは、いずれもＨｉｇｈレベルになっている。しかしながら、ノイズ等の原因により電源回路３２へのイネーブル信号のうちいずれか一つでもＬｏｗレベルに立ち下がると、対応する電源ブロックがオフとなり、ＬＣＤパネル４０における表示動作に異常が生じる。また、同様に表示系のイネーブル信号のうちいずれか一つでもＬｏｗレベルに立ち下がると、ＬＣＤパネル４０における表示動作に異常が生じる。また、電源起動フラグＰＯＦＦがＬｏｗレベルに立ち下がることも異常である。
【００６８】
従って、正常の場合は、ＡＮＤ回路２５１の出力はＨｉｇｈレベルとなるが、各イネーブル信号および電源起動フラグＰＯＦＦのうち少なくとも一つがＬｏｗレベルに立ち下がって異常状態になると、ＡＮＤ回路２５１の出力はＬｏｗレベルとなる。ＡＮＤ回路２５１の出力信号は、デジタルフィルタ２５２に入力される。
【００６９】
デジタルフィルタ２５２は、順に入出力が接続されたＤフリップフロップＦ４〜Ｆ７と、ＯＲ回路２５２１から構成される。ＤフリップフロップＦ４には、ＡＮＤ回路２５１の出力信号が入力され、ＤフリップフロップＦ４〜Ｆ７の各出力信号はＯＲ回路２５２１に入力される。ＤフリップフロップＦ４〜Ｆ７の各々にはクロック信号ＣＫが入力される。ＯＲ回路２５２１の出力が異常検知回路２５の出力信号ＤＴとなる。
【００７０】
デジタルフィルタ２５２は、Ｌｏｗレベルが所定期間内のＡＮＤ回路２５１の出力はマスキングしてＨｉｇｈレベルを出力する回路であり、異常の誤検知を抑制できる。
【００７１】
異常検知回路２５の出力信号ＤＴがＬｏｗレベルとなり、異常が検知されると、図４に破線で示すように、スリープインコマンドに関わらず、シーケンサ２３は表示オフ状態ＳＴ３、表示オン状態ＳＴ４、または表示オフ状態ＳＴ５から立ち下げシーケンス状態ＳＴ６へ強制的に遷移する。
【００７２】
これにより、タイミングコントローラ２４によって上述した図７に示すような立ち下げシーケンスが行われ、電源回路３２の各電源ブロックおよびソースドライバ２９等はオフとされる。
【００７３】
そして、図４に破線で示すように、通常時のようにスタンバイ状態ＳＴ１へ遷移することなく、シーケンサ２３は起動シーケンス状態ＳＴ２へ遷移する。これにより、タイミングコントローラ２４によって上述した図６に示すような起動シーケンスが行われ、電源回路３２の各電源ブロックはオンとされ、電源回路３２が起動される。
【００７４】
このように本実施形態によれば、電源回路３２等の異常により表示動作に異常が生じたことをイネーブル信号によって検知するので、異常を迅速に検知できる。更にこのとき、立ち下げシーケンスによって電源回路３２を安全に終了させることができる。更に、その後、自動的に起動シーケンスが行われることで電源回路３２を安全かつ即座に再起動できる。
【００７５】
なお、異常検知回路２５の出力信号ＤＴは、シーケンサ２３のみならず、インタフェース２１を介してホストコントローラ１０へ送信するようにしてもよい。
【００７６】
＜車載ディスプレイについて＞
上述した本実施形態に係る液晶表示装置は、特に車載ディスプレイに適用することが好適である。車載ディスプレイは、例えば図８に示す車載ディスプレイ８１〜８３のように、車両における運転席前方のダッシュボードに設けられる。車載ディスプレイ８１は、スピードメータ、タコメータ等を表示するインパネとして機能する。車載ディスプレイ８２は、燃料計、燃費計、シフトポジション等を表示する。車載ディスプレイ８３は、車両の現在位置情報、目的地までの経路情報等を表示するナビゲーション機能を有すると共に、車両後方の撮像画像を表示するバックモニタ機能も有する。
【００７７】
＜その他の変形例＞
なお、上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味および範囲内に属する全ての変更が含まれると理解されるべきである。
【００７８】
例えば、本実施形態に係る液晶表示装置は、車載用のみならず、スマートフォン、タブレットコンピュータ等にも適用可能である。
【産業上の利用可能性】
【００７９】
本発明は、例えば車載用の表示装置に好適に利用することができる。
【符号の説明】
【００８０】
１  液晶表示装置
１０  ホストコントローラ
２０  ＬＣＤドライバ
２１  インタフェース
２２  データレジスタ
２３  シーケンサ
２４  タイミングコントローラ
２５  異常検知回路
２６  ＲＡＭ
２７  データコンバータ
２８  データラッチ部
２９  ソースドライバ
３０  ゲートドライバ
３１  コモン電圧生成部
３２  電源回路
３３  ガンマ電圧生成部
４０  ＬＣＤパネル
８１〜８３  車載ディスプレイ
３２１  第１電源ブロック
３２２  第２電源ブロック
３２３  第３電源ブロック
３２４  第４電源ブロック
３２５  第５電源ブロック
３２６  第６電源ブロック
３２７  第７電源ブロック
３２８  第８電源ブロック
Ｆ１〜Ｆ７  Ｄフリップフロップ
２５１  ＡＮＤ回路
２５２  デジタルフィルタ
２５２１  ＯＲ回路
【図１】
0006623290.tif 000002
【図２】
0006623290.tif 000003
【図３】
0006623290.tif 000004
【図４】
0006623290.tif 000005
【図５】
0006623290.tif 000006
【図６】
0006623290.tif 000007
【図７】
0006623290.tif 000008
【図８】
0006623290.tif 000009